(57)【要約】  例示的な実施形態は、地理的な位置情報を使用して、ハンドオーバ手順およびリダイレクション手順をトリガする。このプロセスは、ネットワークを地理的なグリッドとして定義することと、地理的な位置毎の算出されたＫＰＩ統計値などの、ユーザ機器からキャプチャされたデータの関連付けられたデータベースを構築することと、次いで、モビリティおよびリダイレクションの決定のために履歴ＫＰＩ統計値をトリガとして使用することとを伴う。
2015536102.tif 000002
【特許請求の範囲】
【請求項１】
通信ネットワークにおいて呼セッションのハンドオーバまたはリダイレクションのためのトリガを提供する方法であって、
セルラー・ネットワークにおいて２つ以上のレイヤを網羅する地理的なグリッドの表現を作成するステップであって、レイヤはキャリア周波数と組になったセルラー技術を含む固有の組合せとして定義されており、前記地理的なグリッドは複数のグリッド・ゾーンに分割されている、ステップと、
前記地理的なグリッドの前記表現内の前記レイヤについて、複数のユーザ機器からデータを収集し、前記データをネットワーク・マップ・データベースに記憶するステップであって、前記データは、技術およびキャリア周波数毎に、グリッド・ゾーン毎の１つまたは複数のネットワーク・キー・パフォーマンス・インジケータ（ＫＰＩ）統計値を計算するために用いられる、ステップと、
地理的な位置情報を特定のユーザ機器から取得するステップであって、前記特定のユーザ機器は所与のセルラー技術と所与のキャリア周波数とが用いられる呼セッションに関係している、ステップと、
前記特定のユーザ機器についての前記地理的な位置情報を、前記地理的なグリッドの前記表現における特定のグリッド・ゾーンにマップするステップと、
前記特定のグリッド・ゾーンについての前記１つまたは複数のネットワークＫＰＩ統計値の少なくとも１つを用いて、ターゲット・セルへの前記呼セッションのハンドオーバまたはリダイレクションをトリガするステップと、
を含む方法。
【請求項２】
前記ハンドオーバまたはリダイレクションは、異なるセルラー技術および／または異なるキャリア周波数のターゲット・セルに対してなされる、請求項１に記載の方法。
【請求項３】
前記地理的な位置情報を取得する前記ステップは、呼セッションがドロップしたかまたは確立に失敗したときには、１つまたは複数のシグナリング・メッセージの追加の位置パラメータにおける地理的情報を受け取るステップを含んでおり、
さらに、以下のタイプのメッセージ、すなわち、無線リソース制御（ＲＲＣ）接続要求、ＲＲＣ接続セットアップ完了、ＲＲＣ接続解除完了、ＲＲＣセル更新、ＲＲＣ無線ベアラ解除完了の中の少なくとも１つにおいて前記地理的な位置情報を用いて、グリッド・ゾーン毎に、確立成功レート（ＥＳＲ）統計値とセッション・ドロップ・レート（ＳＤＲ）統計値とを算出するステップを含む請求項１に記載の方法。
【請求項４】
前記セルラー・ネットワーク技術が、少なくとも広帯域符号分割多元接続または４Ｇロング・ターム・エボリューションを含む、請求項１に記載の方法。
【請求項５】
前記呼セッションを、特定のセルラー技術のターゲット・セルにリダイレクトまたはハンドオーバするステップをさらに含む、請求項１に記載の方法。
【請求項６】
前記呼セッションを、特定のキャリア周波数のターゲット・セルにリダイレクトまたはハンドオーバするステップをさらに含む、請求項１に記載の方法。
【請求項７】
通信ネットワークにおいて、呼セッションのハンドオーバまたはリダイレクションのためのトリガを提供するためのシステムであって、
ネットワーク・マップ・データベースと、
１つまたは複数のプロセッサと、
を備えており、前記１つまたは複数のプロセッサは、
セルラー・ネットワークにおいて２つ以上のレイヤを網羅する地理的なグリッドの表現を作成するステップであって、レイヤはキャリア周波数と組になったセルラー技術を含む固有の組合せとして定義されており、前記地理的なグリッドは複数のグリッド・ゾーンに分割されている、ステップと、
前記地理的なグリッドの前記表現における前記レイヤについて、複数のユーザ機器からデータを収集し、前記データをネットワーク・マップ・データベースに記憶するステップであって、前記データは、技術およびキャリア周波数毎に、グリッド・ゾーン毎の１つまたは複数のネットワーク・キー・パフォーマンス・インジケータ（ＫＰＩ）統計値を計算するために用いられる、ステップと、
地理的な位置情報を特定のユーザ機器から取得するステップであって、前記特定のユーザ機器は所与のセルラー技術と所与のキャリア周波数とが用いられる呼セッションに関係している、ステップと、
前記特定のユーザ機器についての前記地理的な位置情報を、前記地理的なグリッドの前記表現における特定のグリッド・ゾーンにマップするステップと、
前記特定のグリッド・ゾーンについての前記１つまたは複数のネットワークＫＰＩ統計値の少なくとも１つを用いて、ターゲット・セルへの前記呼セッションのハンドオーバまたはリダイレクションをトリガするステップと、
を実行するように構成されている、システム。
【請求項８】
前記セルラー・ネットワーク技術が、少なくとも広帯域符号分割多元接続または４Ｇロング・ターム・エボリューションを含む、請求項７に記載のシステム。
【請求項９】
前記１つまたは複数のプロセッサは、さらに、
特定のユーザ機器が接続状態である間に、地理的な位置情報を測定報告における前記特定のユーザ機器から取得し、
前記特定のユーザ機器について取得された前記地理的な位置情報を、前記地理的なグリッドの前記表現における特定のグリッド・ゾーンにマップし、
前記特定のグリッド・ゾーンについての前記１つまたは複数のネットワークＫＰＩ統計値の少なくとも１つを用いて、別のセルラー技術または別のキャリア周波数へのセッションのハンドオーバをトリガするように構成されている、請求項７に記載のシステム。
【請求項１０】
前記データは、技術およびキャリア周波数毎に、グリッド・ゾーン毎の無線測定値をさらに含んでおり、前記１つまたは複数のプロセッサは、さらに、
特定のユーザ機器が接続状態に移行しつつあるとき、または、特定のユーザ機器との間でサービス確立を実行しつつあるときには、接続要求メッセージにおいて報告されている前記特定のユーザ機器についての前記地理的な位置情報を、前記地理的なグリッドの前記表現における特定のグリッド・ゾーンにマップし、
前記特定のグリッド・ゾーンについての前記１つまたは複数のネットワークＫＰＩ統計値の少なくとも１つを用いて、前記特定のユーザ機器についての呼セッションのターゲット・セルへのリダイレクションをトリガするように構成されている、請求項７に記載のシステム。
【発明の詳細な説明】
【技術分野】
【０００１】
本発明は、ユーザ機器からの地理的な位置情報をネットワーク・マップに関するデータと相関させて、ハンドオーバ手順およびリダイレクション手順をトリガする方法および装置に関する。本発明は特に、ワイヤレス電気通信の技術を対象とし、したがって、特にそれに関連して説明されるが、本発明は他の分野および適用例において有用性を有し得ることを諒解されたい。
【背景技術】
【０００２】
背景として、セルラー電話通信などのワイヤレス電気通信の分野では、システムは通常、システムによってサービスされるべき領域内に分散された複数の基地局を含む。次いで、固定またはモバイルの領域内の様々なユーザは、基地局のうちの１つまたは複数を介して、システムおよび、したがって、他の相互接続された電気通信システムにアクセスすることができる。通常、ユーザが移動するとき、ユーザは、ある基地局と、次いで別の基地局と通信することによって、ユーザが領域を通過するときのシステムとの通信を維持する。ユーザは、最も近い基地局、最も強い信号を有する基地局、通信を受け入れるのに十分な容量を有する基地局などと通信することができる。
【０００３】
ワイヤレス・ネットワークにおけるユーザの体感品質（ＱｏＥ）は、加入者を引き付け、加入者を引き留めるのに役立ち、また、顧客ロイヤルティを築く要素のうちの１つであるので、ネットワーク事業者にとって重要である。体感品質をその最も高い水準に保つために、ワイヤレス・ネットワーク事業者は、ネットワーク・リソース使用量、特に、希少で高価なリソースである無線スペクトル使用量を最適化することに特に注意を払っている。
【０００４】
スマートフォンの幅広い浸透およびそのエンドユーザからの高スループットの需要をサポートするために、多くのワイヤレス・ネットワーク事業者は、その既存の広帯域符号分割多元接続（Ｗ−ＣＤＭＡまたはＷＣＤＭＡ）ネットワークおよびモバイル通信用グローバル・システム（ＧＳＭ）ネットワークに加えて、ロング・ターム・エボリューション（ＬＴＥ）規格を配備している。そのネットワークの多くの部分では、高スループット、最適な体感品質、および多数の加入者からの常時接続の需要をサポートするために、Ｗ−ＣＤＭＡネットワークおよびＬＴＥネットワークに２つ以上のキャリア周波数が配備されている。言い換えれば、加入者からの容量の需要と体感品質の需要の両方によって、ワイヤレス・ネットワーク事業者は、これらの需要を満たすために、いくつかのＷ−ＣＤＭＡキャリア周波数およびＬＴＥキャリア周波数を配備することを余儀なくされた。
【０００５】
そのような環境では、ワイヤレス・ネットワーク事業者にとっての課題は、たとえば、様々なネットワーク・キー・パフォーマンス・インジケータ（ＫＰＩ）統計値によって定義されたエンドユーザの体感品質を維持しながら、異なる技術および／またはそれぞれの技術内の異なるキャリア周波数の間で、無線スペクトルおよびネットワーク・リソースを完全に利用することである。
【０００６】
したがって、加入者に最適な体感品質も提供しながら、すべての利用可能なリソースを効率的に利用するための最良のセルおよび技術をいつ、どのように選択すべきかを知ることが役立つ。当然ながら、これは、異なる技術間の多くのキャリア周波数が配備されている複雑なネットワーク配備シナリオにおいて達成されなければならない。一例として、ワイヤレス事業者は、そのネットワークに、異なる技術間の８つのキャリア周波数、たとえば、２つのＬＴＥキャリア周波数、５つのＷ−ＣＤＭＡキャリア周波数および１つのＧＳＭキャリア周波数を配備することができる。技術とキャリア周波数の固有の組のそれぞれは、レイヤとして定義される。この例では、ネットワークは８つのレイヤを有していると言うことができる。
【０００７】
さらに、モバイル無線ネットワークの機能とは、モビリティをサポートすること、すなわち、移動局が、ある基地局の受信範囲から別の基地局の受信範囲に移動しているときであっても、その移動局の移動無線接続を維持する、という能力である。この目的のため、いわゆるハンドオーバが始動され得るのであって、すなわち、基地局Ａへの移動局の接続が、ある定義された時点において、基地局Ｂに手渡（ハンドオーバ）されるのである。
【０００８】
セルおよび／またはキャリア周波数のリダイレクションまたはハンドオーバ手順を始動させる多数の反応性（ｒｅａｃｔｉｖｅ）のトリガが、ワイヤレス・ネットワークに配置されている。卓越した反応性トリガには、無線状態と、リソース不足または輻輳とが含まれる。無線状態が、所与のスレショルド（絶対値スレショルド、または、２つの候補セルもしくはキャリア周波数の無線状態の間の相対的スレショルドのいずれか）よりも低いレベルにまで劣化すると、ネットワークにおいて、セッションをリダイレクトもしくはハンドオーバする先の、別のセルまたはキャリア周波数を選択するという判断がなされる。無線または他のリソースの不足がモビリティのためのトリガとして用いられるときにも、同様のロジックが適用される。
【０００９】
よいネットワークＫＰＩ数がこれらの反応性トリガを用いて達成され得たとしても、改善の余地は依然として存在するのであって、その改善は、たとえば積極性トリガを用いて達成され得る。無線状態の劣化とネットワークの輻輳とに基づくトリガでは、ネットワークは、単に、既に生じた条件に反応しているに過ぎない。いくつかの場合、たとえば、無線状態が、セッションをより優れたセルもしくはキャリア周波数にリダイレクトまたはハンドオーバすることが不可能でさえあるようなレベルまで既に劣化しているときには、そのセッションを救済するための正しい決定を下すには、遅すぎることがあり得る。
【先行技術文献】
【非特許文献】
【００１０】
【非特許文献１】３ＧＰＰ仕様２３．０３２
【発明の概要】
【発明が解決しようとする課題】
【００１１】
したがって、複雑なネットワーク配置において、積極的な態様で、最適なセルへのハンドオーバまたはリダイレクションをトリガする方法に対する必要性が存在している。グリッド・ゾーン毎の履歴ＫＰＩ統計値を、ハンドオーバおよびリダイレクションを決定するための積極的なトリガとして用いることが可能である。ハンドオーバおよびリダイレクションの手順のためのこのタイプのトリガは、セル毎よりもさらにきめ細かい形態で利用可能な関連データを、特に、セルにおけるユーザの位置に応じて変化するデータを用いる。
【課題を解決するための手段】
【００１２】
例示的な実施形態は、ユーザ機器の地理的な位置での情報を使用して、ハンドオーバ手順およびリダイレクション手順のトリガを支援する。このプロセスは、セルラー・ネットワーク上に論理的にオーバーレイされた地理的なグリッドおよび関連付けられたデータベースを構築して、無線測定値をキャプチャし、地理的な位置毎、すなわち、グリッド・ゾーン毎のＫＰＩ統計値を算出することと、次いで、モビリティの決定をトリガするためにこのデータを使用することとを伴う。
【００１３】
一実施形態では、通信ネットワークにおいて呼セッションのハンドオーバまたはリダイレクションのためのトリガを提供する方法が、提供される。方法は、セルラー・ネットワークにおいて２つ以上のレイヤを網羅する地理的なグリッドを作成するステップであって、レイヤがキャリア周波数と組になったセルラー技術を含む固有の組合せとして定義され、地理的なグリッドが複数のグリッド・ゾーンに分割される、ステップを含む。セルラー・ネットワーク・グリッド内のレイヤのそれぞれについて、複数のユーザ機器からデータが収集され、ネットワーク・マップ・データベースに記憶される。収集されたデータは、少なくとも、技術およびキャリア周波数毎に、グリッド・ゾーン毎のネットワーク・キー・パフォーマンス・インジケータ（ＫＰＩ）統計値を計算するために用いられる。いったん地理的なグリッドが作製されデータが記憶されると、特定のユーザ機器からの地理的な位置情報が取得される。特定のユーザ機器についての地理的な位置情報は、地理的なグリッドにおける特定のグリッド・ゾーンにマップされる。呼セッションのハンドオーバまたはリダイレクションは、特定のグリッド・ゾーンについてデータベースに記憶されている履歴キー・パフォーマンス・インジケータ（ＫＰＩ）記録または統計値に基づいて、トリガされる。ハンドオーバまたはリダイレクションは、異なるセルラー技術および／または異なるキャリア周波数のターゲット・セルへ、なされ得る。
【００１４】
別の実施形態では、通信ネットワークにおいて呼セッションのハンドオーバまたはリダイレクションのためのトリガを提供する方法が、提供される。方法は、セルラー・ネットワークにおいて２つ以上のレイヤを網羅する地理的なグリッドを作成するステップであって、レイヤがキャリア周波数と組になったセルラー技術を含む固有の組合せとして定義され、地理的なグリッドが複数のグリッド・ゾーンに分割される、ステップを含む。セルラー・ネットワーク・グリッド内のレイヤのそれぞれについて、複数のユーザ機器からデータが収集され、ネットワーク・マップ・データベースに記憶される。収集されたデータは、少なくとも、技術およびキャリア周波数毎に、グリッド・ゾーン毎のネットワーク・キー・パフォーマンス・インジケータ（ＫＰＩ）統計値を計算するために用いられる。特定のユーザ機器が接続状態にある間は、その特定のユーザ機器からの地理的な位置情報が取得される。特定のユーザ機器についての地理的な位置情報が地理的なグリッドにおける特定のグリッド・ゾーンにマップされる。特定のグリッド・ゾーンについてデータベースに記憶されている履歴ＫＰＩ統計値は、別のセルラー技術または別のキャリア周波数へのセッションのハンドオーバをトリガするために用いられる。
【００１５】
さらに別の実施形態では、通信ネットワークにおいてモビリティ決定のためのトリガを提供する方法が、提供される。方法は、セルラー・ネットワークにおいて２つ以上のレイヤを網羅する地理的なグリッドを作成するステップであって、レイヤがキャリア周波数と組になったセルラー技術を含む固有の組合せとして定義され、地理的なグリッドが複数のグリッド・ゾーンに分割される、ステップを含む。セルラー・ネットワーク・グリッド内のレイヤのそれぞれについて、複数のユーザ機器からデータが収集され、ネットワーク・マップ・データベースに記憶される。収集されたデータは、少なくとも、技術およびキャリア周波数毎に、グリッド・ゾーン毎のネットワーク・キー・パフォーマンス・インジケータ（ＫＰＩ）統計値を計算するために用いられる。特定のユーザ機器が接続状態に入ろうとするとき、接続要求メッセージで報告された特定のユーザ機器についての地理的な位置情報が地理的なグリッドにおける特定のグリッド・ゾーンにマップされる。特定のグリッド・ゾーンについてデータベースに記憶されている履歴ＫＰＩ統計値は、その特定のユーザ機器のための呼セッションのターゲット・セルへのリダイレクションをトリガするために用いられる。
【００１６】
さらに別の実施形態では、通信ネットワークにおいて呼セッションのハンドオーバまたはリダイレクションのためのトリガを提供するシステムが、提供される。このシステムは、少なくとも、ネットワーク・マップ・データベースと、１つまたは複数のプロセッサとを含む。この１つまたは複数のプロセッサは、セルラー・ネットワークにおいて２つ以上のレイヤを網羅する地理的なグリッドを作成するステップであって、レイヤはキャリア周波数と組になったセルラー技術を含む固有の組合せとして定義されており、地理的なグリッドは複数のグリッド・ゾーンに分割されている、ステップと、セルラー・ネットワーク・グリッドにおけるレイヤのそれぞれについて、複数のユーザ機器からデータを収集し、データをネットワーク・マップ・データベースに記憶するステップであって、収集されるデータは、少なくとも、技術およびキャリア周波数毎に、グリッド・ゾーン毎のネットワーク・キー・パフォーマンス・インジケータ（ＫＰＩ）統計値を計算するために用いられる、ステップと、を実行するように動作し得る。この１つまたは複数のプロセッサは、さらに、地理的な位置情報を特定のユーザ機器から取得するステップであって、この特定のユーザ機器は所与のセルラー技術と所与のキャリア周波数とが用いられる呼セッションに関係している、ステップと、特定のユーザ機器についての地理的な位置情報を、地理的なグリッドにおける特定のグリッド・ゾーンにマップするステップと、特定のグリッド・ゾーンについてデータベースに記憶されている履歴ＫＰＩ統計値に基づいて、ターゲット・セルへの呼セッションのハンドオーバまたはリダイレクションをトリガするステップと、を実行するように動作し得る。
【００１７】
場合によっては、前述の実施形態のいずれかに関して、セルラー・ネットワーク技術は広帯域符号分割多元接続および／または４Ｇロング・ターム・エボリューションを含み得る。さらに、前述の実施形態のいずれかが、呼セッションがドロップしたかまたは確立に失敗したときには、位置情報を運ぶ１つまたは複数のシグナリング・メッセージに追加の位置パラメータを追加するステップと、以下のタイプのメッセージ、すなわち、無線リソース制御（ＲＲＣ）接続要求、ＲＲＣ接続セットアップ完了、ＲＲＣ接続解除完了、ＲＲＣセル更新、ＲＲＣ無線ベアラ解除完了の中の少なくとも１つにおいて位置情報を用いて、グリッド・ゾーン毎に、確立成功レート（ＥＳＲ）統計値とセッション・ドロップ・レート（ＳＤＲ）統計値とを算出するステップと、をさらに含み得る。さらに、上述した地理的なグリッドは、セルラー・ネットワークにおける実質的にすべてのレイヤを網羅し得る。
【００１８】
本発明の適用性のさらなる範囲は、以下で与えられる詳細な説明から明らかとなろう。ただし、本発明の趣旨および範囲内の様々な変更および修正が当業者に明らかとなるので、詳細な説明および具体的な例は、本発明の好ましい実施形態を示すものではあるが、例示のみとして与えられることを理解されたい。
【００１９】
本発明は、デバイスの様々な部分の組立て、配置、および組合せ、ならびに方法のステップに存在し、それによって、企図される目的が、以下でより完全に記載され、特許請求の範囲において具体的に指摘され、添付の図面に示されるように達成される。
【図面の簡単な説明】
【００２０】
【図１】本発明の態様を実施するのに適した例示的な通信システムのブロック図である。
【図２】本発明の諸態様に従い、ユーザ機器の地理的な位置を用いて、呼セッションのハンドオーバまたはリダイレクションをトリガする例示的な方法の流れ図である。
【図３】本発明の態様による、関連付けられたデータベースおよびそのエントリを備えるグリッドおよびグリッド・ゾーンを伴う、異なるセルラー技術およびキャリア周波数のレイヤを特徴とするセルラー・ネットワークの透視図である。
【発明を実施するための形態】
【００２１】
次に、表示が、特許請求される主題を限定するためではなく、例示的な実施形態のみを示すためのものである図面を参照すると、図１は本発明の態様による例示的な通信システム１００を示している。
【００２２】
本明細書で説明されるように、通信システム１００は一般に、ユニバーサル地上無線アクセス・ネットワーク（ＵＴＲＡＮ）などの無線アクセス・ネットワーク１０２を含む。ＵＴＲＡＮは、ユニバーサル移動体通信システム（ＵＭＴＳ）無線アクセス・ネットワークを構成するノードＢ１０４および無線ネットワーク・コントローラ（ＲＮＣ）１０６の集合的用語である。ＵＭＴＳは、３ＧＰＰ内で開発された第３世代（３Ｇ）無線技術の包括的用語である。無線アクセス仕様は、周波数分割複信（ＦＤＤ）および時分割複信（ＴＤＤ）の変形を提供し、いくつかのチップ・レートがＴＤＤオプションにおいて提供され、ＵＴＲＡ技術が広範囲の帯域で動作し、他の無線アクセス技術と共存するのを可能にする。ＵＭＴＳは、当初のＷ−ＣＤＭＡ方式を含む。
【００２３】
無線アクセス・ネットワーク１０２は、ＧＳＭコアからの進化形であるコア・ネットワーク１０８に接続する。この通信ネットワークは、リアルタイムの回線交換からＩＰベースのパケット交換まで、多くのトラフィック・タイプを搬送することができる。ＵＴＲＡＮ１０２は、ユーザ機器（ＵＥ）１１０とコア・ネットワーク（ＣＮ）１０８との間の接続性を可能にする。
【００２４】
より具体的には、ＵＴＲＡＮ１０２は、一般にノードＢ１０４と呼ばれるいくつかの基地局と、無線ネットワーク・コントローラ（ＲＮＣ）１０６とを含む。ＲＮＣ１０６は、制御機能を１つまたは複数のノードＢ１０４に提供する。ＲＮＣ１０６およびそれに対応するノードＢ１０４は、無線ネットワーク・サブシステム（ＲＮＳ）１１２を構成する。ＵＴＲＡＮにおいて２つ以上のＲＮＳが存在していてもよい。
【００２５】
ＲＮＳ１１２は、ＵＴＲＡＮ全体またはＵＴＲＡＮの一部のみのいずれかであり得る。ＲＮＳは、特定の無線リソースの割振りおよび解除を行って、ＵＥ１１０とＵＴＲＡＮ１０２との間の接続の手段を確立する。無線ネットワーク・サブシステム１１２は一般に、１つのＲＮＣを含み、リソースならびにセルのセットにおける送信および受信を受け持つ。
【００２６】
ユーザ機器（ＵＥ）１１０は、携帯電話、スマートフォン、携帯情報端末（ＰＤＡ）、ラップトップ・コンピュータ、タブレット・コンピュータ、デジタル・ページャ、ワイヤレス・カード、および基地局１０４を介してデータ・ネットワークにアクセスすることが可能な任意の他のデバイスを含む、様々なモバイル・デバイスのいずれかの形態をとることができる。
【００２７】
一般に、ＲＮＣ１０６は、ＲＮＣ１０６が接続される基地局１０４を制御し、基地局１０４に協調するように動作する。図１のＲＮＣ１０６は一般に、複製サービス、通信サービス、ランタイム・サービス、およびシステム管理サービスを提供する。ＲＮＣ１０６は、図示の実施形態では、呼経路の設定および終端などの呼処理機能を処理し、それぞれのＵＥ１１０と基地局１０４のそれぞれによってサポートされるそれぞれのセクタとの順方向リンクおよび／または逆方向リンク上でのデータ送信レートを決定することが可能である。
【００２８】
ＵＥ１１０は、複数のノードＢ１０４と通信する。ノードＢ１０４は、順方向誤り訂正符号化、変調、拡散、およびベースバンドからアンテナから送信されたＲＦ信号への変換などの物理レイヤ処理を受け持つ基地局である。ノードＢ１０４は、１つのセルからいくつかのセルへの送信および受信を処理することができる。１つのＲＮＣは、複数の（最大で数千の）ノードＢを制御することができる。
【００２９】
図１は、ＵＥ１１０が、ＵＴＲＡＮ１０２の代わりにＥ−ＵＴＲＡＮ（進化型ＵＴＲＡＮ）１２０に接続され得ることも示している。３ＧＰＰは、ＵＭＴＳおよびＧＳＭから進化するロング・ターム・エボリューション（ＬＴＥ）も開発した。進化型ノードＢとしても知られ、ｅノードＢまたはｅＮＢと略されるＥ−ＵＴＲＡＮノードＢ１２２は、ＵＭＴＳのＵＴＲＡＮにおける要素ノードＢの進化形である、ＬＴＥのＥ−ＵＴＲＡＮ１２０における要素であることにも留意されたい。従来、ノードＢは最小限の機能（ＨＳＰＡを除く）を有し、ＲＮＣによって制御される。しかし、ｅノードＢには、別個のコントローラ要素がない。このことはネットワーク・アーキテクチャを簡易化し、より速い応答時間を可能にする。
【００３０】
一般に、ＣＮ１０８は、データ・ネットワーク（図示せず）および／または公衆交換電話網（ＰＳＴＮ）（図示せず）へのインターフェースとして動作する。ＣＮ１０８は、ユーザ認証などの様々な機能および動作を実行するが、ＣＮ１０８の構造および動作の詳細な説明は、本発明の理解および諒解に必要ではない。したがって、ＣＮ１０８のさらなる説明は、本明細書では提示されない。
【００３１】
したがって、当業者は、通信システム１００がＵＥ１１０とデータ・ネットワークおよびＰＳＴＮとの間の通信を容易にすることを諒解されよう。ただし、図１の通信システム１００の構成は事実上例示的なものであることと、本発明の趣旨および範囲を逸脱することなく、より少ないまたは追加の構成要素が通信システム１００の他の実施形態において用いられ得ることとを理解されたい。
【００３２】
セルラー・サイトは、ユーザ機器が「話しかける」ものである。セルラー・サイトは、１つまたは複数の送信アンテナおよび受信アンテナを含む。それぞれのアンテナは、特定の地理的な領域を網羅する。ワイヤレス・サービス・プロバイダは、小さいコミュニティにおいて１つのみのセル・サイトを有してもよいが、広い都心において数百または数千ものセル・サイトを有してもよい。
【００３３】
モバイル・ネットワーク事業者（ワイヤレス・サービス・プロバイダ、ワイヤレス・キャリア、セルラー会社、またはモバイル・ネットワーク・キャリアとしても知られる）は、無線スペクトル割振り、ワイヤレス・ネットワーク・インフラストラクチャ、バックホール・インフラストラクチャ、課金、顧客ケアおよびプロビジョニング・コンピュータ・システムおよびマーケティング、顧客ケア、プロビジョニングおよび修理組織を含むサービスをエンドユーザに販売および配信するのに必要な要素を所有または制御する、ワイヤレス通信サービスのプロバイダである。
【００３４】
セルは、タワーまたは基地局の周りの半径範囲において（または、より一般的である、セクタ化された配備において）カバレージを提供することができる。その半径範囲内の携帯電話のユーザは、ワイヤレス・サービスにアクセスすることができる。半径範囲が網羅する距離は、とりわけ、セル・サイトの電力出力、背景雑音の量、および他の環境干渉によって決定される。実際の環境では、セルは、地理的な特徴および建物からの干渉により、半径方向のカバレージを提供しない。比較的平坦な地形を有し、全方向性アンテナを備えた場所であれば、完璧に近い円のカバレージを放射状に広げるセルを有するであろう。起伏の多い地形または大きい人工物体（たとえば、建物）を有する位置におけるセル・タワーは、ゆがんだセル・カバレージを有する可能性がある。
【００３５】
例示的な実施形態は、ユーザ機器１００と関連する地理的な位置情報を用いて、呼セッションのターゲット・セルへのハンドオーバまたはリダイレクションをトリガする。このプロセスは、たとえば、ユーザ機器１００から捕捉されたデータのデータベースを構築する際に役立つネットワーク・グリッドを定義するステップと、そのデータを用いて地理的な位置毎にＫＰＩ統計値を計算するステップと、さらには、モビリティ決定をトリガするために履歴ＫＰＩ統計値を用いるステップとを含む。
【００３６】
特に別段の定めがない限り、またはそうでなければ説明から明らかなように、「処理する」または「計算する」または「算出する」または「決定する」または「表示する」または「予測する」などの用語は、コンピュータ・システムのレジスタおよびメモリ内で物理量、電子量として表されるデータを操作し、コンピュータ・システムのメモリまたはレジスタあるいは他のそのような情報記憶デバイス、情報送信デバイスまたは情報表示デバイス内で物理量として同様に表される他のデータに変換するコンピュータ・システム、または類似の電子計算デバイスのアクションおよびプロセスを指す。
【００３７】
本明細書で使用される「位置」という用語は、ジオロケーションとも呼ばれ得る、ユーザ機器の地理的な位置を指す。ジオロケーションは、楕円体点ＬａｔｉｔｕｄｅおよびＬｏｎｇｉｔｕｄｅ（３ＧＰＰ仕様２３．０３２を参照）を使用して、地理座標系で説明され得る。この新たなネットワーク機能は、たとえば、（ａ）接続状態の間、または（ｂ）接続状態に移行しつつある、もしくは、サービス確立を実行しつつある間に、ジオロケーション情報を用いて、呼セッションのターゲット・セルへのハンドオーバまたはリダイレクションをトリガする。
【００３８】
例示的なモビリティ・トリガは、セル・カバレージ・エリアの中のユーザ機器の位置に依存するのであるが、履歴ＫＰＩ統計値に基づく。履歴ＫＰＩ統計値は、たとえば、確立成功レート（ＥＳＲ）、セッション・ドロップ・レート（ＳＤＲ）、および呼ドロップ・レート（ＣＤＲ）のうちの１つまたは複数を含み得る。当然ながら、他のタイプのＫＰＩ統計値も用いられ得ることを理解されたい。
【００３９】
ユーザ機器１１０の地理的な位置を用いることにより、セル情報のみを用いる場合よりもきめ細かい見解が提供され、したがって、より正確なＫＰＩ統計値を、ハンドオーバまたはリロケーション・トリガとして用いられることが可能になる。
【００４０】
図２を参照すると、例示的な方法は、セルラー・ネットワークにおいて、レイヤを網羅する地理的なグリッドを作成するステップを含む（２１０）。セルラー・ネットワークは複数の技術を含み得るのであって、さらに、それぞれの技術は複数のキャリア周波数を含む、ということに注意すべきである。たとえば、ある所与のセルラー・ネットワークはＬＴＥおよびＷ−ＣＤＭＡ技術を組み入れていることがあり得るし、それぞれの技術は複数のキャリア周波数を有するのである。技術とキャリア周波数との固有の組は、それぞれが、レイヤとも称される。
【００４１】
例示的なネットワーク・グリッド３００が、図３に示されている。グリッド３００は、セルラー・ネットワーク・マップ３０８（たとえば、セルｉ、セルｊ、セルｋなど）上で垂直グリッド線３０４と水平グリッド線３０６の交差によって形成された、いくつかのグリッド・ゾーン３０２（たとえば、グリッド・ゾーンｉ、グリッド・ゾーンｉ＋１、グリッド・ゾーンｉ＋２、グリッド・ゾーンｉ＋３など）を含む。例として、グリッド・ゾーン３０２は、約０．００１３７３度である寸法を有する正方形とすることができる。ただし、長方形など、他の寸法および形状を用いることができることを理解されたい。たとえば、グリッド・ゾーン３０２の指標は（北半球では）グリッド・ゾーンの南東の角とすることができ、以下のように算出され得る。
Ｌａｔｉｔｕｄｅ：  ｒｅｐｏｒｔｅｄ  ｄｅｇｒｅｅｓＬａｔｉｔｕｄｅ  Ｍｏｄ  １２８
Ｌｏｎｇｉｔｕｄｅ：  ｒｅｐｏｒｔｅｄ  ｄｅｇｒｅｅｓＬｏｎｇｉｔｕｄｅ  Ｍｏｄ  ６４
【００４２】
このプロセスは、セルラー・ネットワーク３１２におけるそれぞれのレイヤ３１０（たとえば、ＬＴＥ  Ｆ１、ＬＴＥ  Ｆ２、Ｗ−ＣＤＭＡ  Ｆ１、Ｗ−ＣＤＭＡ  Ｆ２、Ｗ−ＣＤＭＡ  Ｆ３など）について、反復され得る。
【００４３】
次に、セルラー・ネットワーク３１０におけるレイヤ３１０および／またはグリッド・ゾーン（または位置）３１２のそれぞれについて、データが収集され、必要な場合には計算がなされ、そして、ネットワーク・マップ・データベース３１４に記憶される（２２０）。ある所与のグリッド・ゾーン［ｉ］についての例示的なマトリックス３１６が、図３に示されている。
【００４４】
収集され計算されたこれらのデータは、限定されることはないが、無線測定値と履歴ＫＰＩ統計値とを含み得る。無線測定値は、たとえば、共通パイロットチャネル（またはＣＰＩＣＨ）の帯域内干渉合計で除したチップ当たりのエネルギー（またはＥｃ／Ｎｏ）、Ｗ−ＣＤＭＡネットワークのＣＰＩＣＨ基準信号の受信信号符号電力（ＲＳＣＰ）、ならびにＬＴＥネットワークの受信電力（ＲＳＲＰ）および基準信号受信品質（ＲＳＲＱ）のうちの１つまたは複数を含み得る。当然ながら、他のタイプの無線測定値も使用され得ることを理解されたい。ＥＳＲ、ＳＤＲ、およびＣＤＲなどの履歴ＫＰＩ統計値については、先に述べた。
【００４５】
無線リソース制御（ＲＲＣ）プロトコルは、３ＧＰＰプロトコル・スタックに属し、ＵＥ（ユーザ機器）１１０とＵＴＲＡＮ１０２またはＥ−ＵＴＲＡＮ１２０との間のレイヤ３の制御プレーン・シグナリングを処理する。以下のＲＲＣメッセージに追加の位置パラメータを含めて、セッションがドロップしたか、または確立に失敗したときに位置情報を受信し、その次に、メッセージにおける位置情報を使用して、グリッド・ゾーン毎にＥＳＲ統計値、ＳＤＲ統計値、およびＣＤＲ統計値を算出することができる。
・  ＲＲＣ接続要求
・  ＲＲＣ接続セットアップ完了
・  ＲＲＣ接続解除完了
・  ＲＲＣセル更新
・  ＲＲＣ無線ベアラ解除完了
【００４６】
すべてのレイヤ３１０のグリッド３００は、そのレイヤ上のＵＥ１１０から受信された測定値を使用して構築される。データは、複数のＵＥ１１０から、リアルタイムでまたは１つもしくは複数の指定された時間周期で、収集され得る。
【００４７】
最後に、例示的な実施形態は、ユーザ機器１１０の地理的な位置およびグリッドについて収集されたデータに基づいて、ユーザ機器についてハンドオーバ手順またはリダイレクション手順をトリガするステップを含む。これに関して、特定のユーザ機器についての地理的な位置情報が取得される（２３０）。特定のユーザ機器についての地理的な位置情報は、地理的なグリッドにおける特定のグリッド・ゾーンにマップされる（２４０）。呼セッションのハンドオーバまたはリダイレクションは、モビリティ決定のためのトリガとして無線状態およびリソース利用可能性を用いるのとは対照的に、特定のグリッド・ゾーンについてデータベースに記憶されているデータ（たとえば、履歴ＫＰＩ統計値）に基づいてトリガされる。ハンドオーバまたはリダイレクションは、異なるセルラー技術および／または異なるキャリア周波数の（２５０）のターゲット・セルになされ得る。
【００４８】
このように、ジオロケーション情報は、特定の技術およびキャリア周波数が用いられるターゲット・セルへの呼セッションのハンドオーバまたはリダイレクションを積極的にトリガするのに、用いられる。このプロセスは、少なくとも２つのシナリオを含む。あるシナリオでは、接続状態にある間、ユーザ機器の地理的な位置が、そのユーザ機器がセッションの間にたまたま送出するＲＲＣ測定報告メッセージまたはいずれかの他のＲＲＣメッセージにおいて、ＲＮＣ１０６（または、ｅＮｏｄｅＢ１２０）に報告される。メッセージにおいて報告される地理的な位置情報は、グリッド３００における特定のグリッド・ゾーン３０２にマップされ、そのグリッド・ゾーン３０２についてのＫＰＩ統計値が、ターゲット・セルへのハンドオーバ手順をトリガするのに用いられる。このトリガは、グリッド・ゾーンのＫＰＩ統計値が、オペレータによって設定可能な予めセットされているＫＰＩ統計値のスレショルドよりも劣るときに、実現する。
【００４９】
このように、例示的な実施形態の積極的なアプローチによると、無線状態やそれ以外の基準を必ずしも考慮することなく、地理的なグリッド・ゾーン毎のネットワークＫＰＩ統計値に基づいてハンドオーバをトリガすることによって、体感品質が改善される。
【００５０】
別のシナリオでは、サービス確立を実行することを含み得るが、接続状態に移行しつつある間に、ＲＲＣ接続要求メッセージの結果として、ユーザ機器の地理的な位置が、たとえばＲＮＣ１０６（または、ｅＮｏｄｅＢ１２０）に報告される。メッセージにおいて報告される地理的な位置情報は、グリッド３００における特定のグリッド・ゾーン３０２にマップされ、そのグリッド・ゾーン３０２についてのＫＰＩ統計値が、ターゲット・セルへのリダイレクション手順をトリガするのに用いられる。このトリガは、グリッド・ゾーンのＫＰＩ統計値が、オペレータによって設定可能な予めセットされているＫＰＩ統計値のスレショルドよりも劣るときに、実現する。このように、例示的な実施形態の積極的なアプローチによると、無線状態やそれ以外の基準を必ずしも考慮することなく、地理的なグリッド・ゾーン毎のネットワークＫＰＩ統計値に基づいてリダイレクションをトリガすることによって、体感品質が改善される。
【００５１】
「プロセッサ」と標示された任意の機能ブロックを含む、図に示される様々な要素の機能は、専用ハードウェアならびにソフトウェアを実行することが可能なハードウェアを適切なソフトウェアと関連付けて使用することによって提供され得る。プロセッサによって提供されるとき、機能は、単一の専用プロセッサによって、または単一の共有プロセッサによって、またはそのうちのいくつかが共有され得る、複数の個別のプロセッサによって提供され得る。さらに、「プロセッサ」または「コントローラ」という用語の明示的な使用は、ソフトウェアを実行することが可能なハードウェアだけを指すものと解釈されるべきではなく、限定はしないが、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを記憶するための読取り専用メモリ（ＲＯＭ）、ランダム・アクセス・メモリ（ＲＡＭ）、および不揮発性記憶装置を暗に含み得る。従来のおよび／または特注の他のハードウェアも含まれ得る。
【００５２】
当業者であれば、上述の様々な方法のステップはプログラムされたコンピュータによって実行され得ることを容易に認識されよう。本明細書では、いくつかの実施形態は、プログラム記憶デバイス、たとえば、デジタル・データ記憶媒体を網羅することも意図され、これらのデバイスは、機械可読またはコンピュータ可読であり、命令の機械実行可能プログラムまたはコンピュータ実行可能プログラムを符号化し、前記命令は、上述の方法のステップの一部または全部を実行する。プログラム記憶デバイスは、たとえば、デジタル・メモリ、磁気ディスクおよび磁気テープなどの磁気記憶媒体、ハード・ドライブ、または光学読取り可能デジタル・データ記憶媒体であってもよい。実施形態は、上述の方法のステップを実行するようにプログラムされたコンピュータを網羅することも意図される。
【００５３】
上記の説明は本発明の特定の実施形態の開示を提供するものにすぎず、本発明をそれに限定するためのものであることは意図されていない。したがって、本発明は上述の実施形態のみに限定されない。むしろ、当業者であれば、本発明の範囲内に入る代替実施形態を想到することができることを認識されたい。
【図１】
2015536102.tif 000003
【図２】
2015536102.tif 000004
【図３】
2015536102.tif 000005
【国際調査報告】
2015536102.tif 000006
2015536102.tif 000007
2015536102.tif 000008